(57)【要約】      （修正有）【課題】携帯端末をマスクとともに保持する携帯端末・マスクケースにおいて、携帯端末を視認し操作するときに、ケースに保管しているマスクに操作者の手指が触れてしまう危険性を減らし、またケースにマスクを装着しようとするに際して、ケースからマスクを取り出すに際しても、ケースに保持させている携帯端末に操作者の手指やマスクが触れてしまう危険性を減らすこと。【解決手段】携帯端末ＨをマスクＭとともに保持する携帯端末・マスクケース１０は外三つ折り状に連結された第１板材２０と第２板材３０と第３板材４０とを有する。第１板材と第２板材とにより携帯端末を挟持する。それらと反対側に開く第２板材と第３板材とによりマスクを広げた状態で挟持する。【選択図】図３
0003228419.tif 000002
【実用新案登録請求の範囲】
【請求項１】
携帯端末をマスクとともに保持する携帯端末・マスクケースにおいて、
外三つ折り状に連結された第１板材と第２板材と第３板材とを有し、
前記第１板材と前記第２板材とにより前記携帯端末を挟持し、
前記第２板材と前記第３板材とにより前記マスクを広げた状態で挟持する携帯端末・マスクケース。
【請求項２】
前記第１板材に対峙する前記第２板材の面には、前記携帯端末の表示面を保護する保護層が形成され、
前記第３板材に対峙する前記第２板材の面と、前記第２板材に対峙する前記第３板材の面とのそれぞれには、抗菌層が形成される請求項１に記載の携帯端末・マスクケース。
【請求項３】
前記抗菌層は弾性を有する請求項２に記載の携帯端末・マスクケース。
【請求項４】
前記第３板材の外側の面には、前記マスクの耳掛部を留める留め部が設けられる請求項１に記載の携帯端末・マスクケース。
【請求項５】
前記第２板材に対峙する前記第１板材の面には、前記携帯端末を保持する端末保持部が設けられる請求項１に記載の携帯端末・マスクケース。
【請求項６】
前記端末保持部は、前記携帯端末が嵌め込まれるブラケットである請求項５に記載の携帯端末・マスクケース。
【考案の詳細な説明】
【技術分野】
【０００１】
本考案は、携帯端末をマスクとともに保持する携帯端末・マスクケースに関する。
【背景技術】
【０００２】
スマートフォンやタブレット等の携帯端末を保持するための様々な携帯端末ケースが知られている。このような携帯端末ケースの中には、２枚の板材で携帯端末を挟持する手帳型と呼ばれるものがある（例えば、特許文献１参照）。
【０００３】
近年、花粉やウィルス、粉塵等の様々な粒子の吸引を防ぐために、あるいは、咳やくしゃみなどにより発生する飛沫等の拡散を防止するために、また口内環境を湿潤に保つためにマスクを使用する機会が増えている。
【０００４】
マスクは、食事や洗顔等の際は外し、鞄やポケット等に一時保管する必要がある。このような時、マスクを一時的かつ衛生的に保管するマスクケースが種々検討されている。これらのマスクケースでは、埃が付着することを防止できると共に、マスクの型崩れを防止することができる。
【０００５】
このように携帯端末ケースやマスクケースは便利ではあるが、それぞれ別個に持ち歩く必要があり、非常に煩雑であった。
【０００６】
携帯端末をマスクとともに保持できるケースが考えられるが、その場合、ケースを開いて、携帯端末を視認し操作するときに、ケースに保管しているマスクに操作者の手指が触れてしまう虞がある。またケースにマスクを装着しようとするに際して、ケースからマスクを取り出すに際しても、ケースに保持させている携帯端末に操作者の手指やマスクが触れてしまう虞もある。
【先行技術文献】
【特許文献】
【０００７】
【特許文献１】実用新案登録第３２１６８３６号公報
【考案の概要】
【考案が解決しようとする課題】
【０００８】
携帯端末をマスクとともに保持する携帯端末・マスクケースにおいて、携帯端末を視認し操作するときに、ケースに保管しているマスクに操作者の手指が触れてしまう危険性を減らし、またケースにマスクを装着しようとするに際して、ケースからマスクを取り出すに際しても、ケースに保持させている携帯端末に操作者の手指やマスクが触れてしまう危険性を減らすことが望まれている。
【課題を解決するための手段】
【０００９】
本考案の実施形態に係る携帯端末・マスクケースは、携帯端末をマスクとともに保持する。第１板材２０と第２板材３０と第３板材４０とが外三つ折り状に連結される。第１板材と第２板材とにより携帯端末を挟持する。それらと反対側に開く第２板材と第３板材とによりマスクを広げた状態で挟持する。
【図面の簡単な説明】
【００１０】
【図１】本考案の第１実施形態に係る携帯端末・マスクケースを一方向から見た斜視図。
【図２】図１の携帯端末・マスクケースを反対方向から見た斜視図。
【図３】図１の携帯端末・マスクケースに保管されたマスクを示す斜視図。
【図４】図１の携帯端末・マスクケースに保管された他種のマスクを示す斜視図。
【図５】本考案の第２実施形態に係る携帯端末・マスクケースを一方向から見た斜視図。
【図６】図５の携帯端末・マスクケースを反対方向から見た斜視図。
【考案を実施するための形態】
【００１１】
以下、図に基づいて、本考案の実施形態について説明する。  
＜第１実施形態＞
図１及び図２に示すように、本実施形態に係る携帯端末・マスクケース１０は、スマートフォンやタブレット等の携帯端末Ｈを保持し、それとともに、図３、図４に示すようにそれぞれ平型のマスクＭ，立体型のマスクＬを保持する機能を有している。なお、マスクＭの表面をＭａ、装着者の口に接する裏面をＭｂ、耳に引っ掛ける耳掛部をＳとする。マスクＬの表面をＬａ、装着者の口に接する裏面をＬｂ、耳に引っ掛ける耳掛部をＬｃとする。マスクＭ，Ｌは、使用目的に応じて布製・不織布製・紙製等の様々な材質から形成されている。
【００１２】
本実施形態に係る携帯端末・マスクケース１０は、樹脂等の比較的硬質な材質で矩形板状の第１板材２０と第２板材３０と第３板材４０とを有する。これら第１板材２０と第２板材３０と第３板材４０とはその順番で幅方向に連結されている。特に、第１板材２０と第２板材３０と第３板材４０とは、幅方向に谷折りが連続するように内側に折り畳むいわゆる内三つ折りではなく、幅方向に山折り３３と谷折り２３とが交互に並ぶように折り畳むいわゆる外三つ折り（蛇腹折り）可能に連結される。
【００１３】
第１板材２０と第２板材３０とは谷折部２３により屈曲自在に連結されている。携帯端末Ｈは第１板材２０と第２板材３０とに挟持される。第２板材３０と第３板材４０とは、山折部３３により屈曲自在に連結されている。マスクＭ，Ｌは、を広げた状態で第２板材３０と第３板材４０とに挟持される。
【００１４】
このように携帯端末Ｈを挟持する第１板材２０と第２板材３０とは、マスクＭ，Ｌを挟持する第２板材３０と第３板材４０とに対して、表裏逆側に開閉することにより、携帯端末Ｈを操作者が視認し操作するときに、当該ケースに保管しているマスクＭ，Ｌに操作者の手指が触れてしまう危険が低減され得る。また当該ケースにマスクＭ，Ｌを装着しようとするに際して、また当該ケースからマスクＭ，Ｌを取り外すに際して当該ケースに保持させている携帯端末Ｈに操作者の手指やマスクＭ，Ｌが触れてしまう危険が低減され得る。
【００１５】
第１板材２０における第２板材３０に対峙する面２１には、携帯端末Ｈがその表示面Ｈａを表側にして嵌め込まれるブラケット２４が端末保持部として取り付けられている。なお、図２に示すように、第１板材２０には、ブラケット２４に嵌め込まれた携帯端末Ｈのカメラ部Ｈｃを露出する長円形の開口部２５が開けられている。
【００１６】
第２板材３０における第１板材２０に対峙する面には、携帯端末Ｈの表示面Ｈａに当接して保護するフェルトシート等の保護層３１が形成されている。
【００１７】
第２板材３０における第３板材４０に対峙する面には、抗菌層３２が形成されている。第３板材４０における第２板材３０に対峙する面には、抗菌層４２が形成されている。マスクＭ．Ｌの表裏面は第２板材３０の抗菌層３２と第３板材４０の抗菌層４２に接触し、菌の繁殖が防止される。抗菌層３２，４２は、抗菌性とともに弾性を有している。抗菌層３２，４２は、抗菌剤が塗布又は練りこまれた弾性部材（ポリウレタン、ゴム、綿等）で構成される。もちろん抗菌層は、抗菌剤が塗布、又は、練りこまれた天然繊維、化学繊維、樹脂繊維又は金属繊維の層と、弾性部材（ポリウレタン、ゴム、綿等）の層と積層された２層構造であってもよい。また、抗菌層は弾性を有しているので、折り畳み時にマスクＭ．Ｌとの密着性を高めることができる。
【００１８】
第３板材４０における第２板材３０に対峙する面と反対側の面、つまり第３板材４０の外側に露出している面４１には、マスクＭ，Ｌの耳掛部Ｓ，Ｌｃを留める留め部４３が取り付けられている。留め部４３は短冊形状を有し、その一端は山折部３３に取り付けられ、他端は第３板材４０の外側面４１の幅中央付近に磁石、ボタン、ホック、面ファスナ等により着脱可能である。マスクＭ，Ｌを第２板材３０と第３板材４０の間に差し込み、耳掛部Ｓ，Ｌｃを第３板材４０の外側面４１に巻き付けて留め部４３により留めることにより、マスクＭ，Ｌの脱落やずれを防止して、それらに起因してマスクＭ，Ｌに付着した菌が拡散する危険が低減され得る。
【００１９】
このように構成された携帯端末・マスクケース１０は、次のようにして用いる。携帯端末Ｈは、表示面Ｈａを表面とし、ブラケット２４に嵌め込まれる。通常、ブラケット２４に一旦保持させた携帯端末Ｈを着脱する機会は少ない。
【００２０】
次に、図３に示すようにマスクＭを保管するに際しては、マスクＭの裏面Ｍｂを第３板材４０の抗菌層４２に当接させると共に、耳掛部Ｓを外側面４１の中央側に引っ張り、留め部４３を矢印Ｒ方向に回して係止する。
【００２１】
そして、携帯端末・マスクケース１０を折り畳むことで、第２板材３０の保護層３１は携帯端末Ｈの表示面Ｈａに当接する。これにより携帯端末Ｈの表示面Ｈａは保護される。また、マスクＭはその表面Ｍａが第２板材３０の抗菌層３２に接触し、裏面Ｍｂが第３板材４０の抗菌層４２に接触して挟持される。マスクＭを露出させることなく保持することができる。第２板材３０の抗菌層３２及び第３板材４０の抗菌層４２の抗菌作用により、マスクＭ内でのウィルスや菌の増殖を防止する抗菌効果を発揮できる。
【００２２】
マスクＭの着脱を行う場合は、図３に示すように、第１板材２０を机上等に置いた状態で、第１板材２０と第２板材３０とを閉じた状態のまま、第２板材３０と第３板材４０とをそれと反対側に開き、留め部４３を開閉して行うので、携帯端末Ｈに触れることがない。
【００２３】
また、携帯端末Ｈを使用する場合は、第１板材２０と第２板材３０とは開かれるが、その際、マスクＭを挟持している第２板材３０と第３板材４０とは閉じられているので、マスクＭに触れる危険は抑えられる。
【００２４】
このように携帯端末側とマスク側とがケース１０の表裏逆側に開くので、携帯端末Ｈを見ているときには、保管したマスクＭに触れにくく、逆にマスクＭを挟み、取り外しているときには携帯端末Ｈに触れにくい。
【００２５】
次に、図４に示すようにマスクＬを保管するに際しては、マスクＬの略中央で半分に折り畳む。携帯端末・マスクケース１０を、図４に示すように少し開いた状態で持ち、第３板材４０の外縁にマスクＬの裏面Ｌｂを略中央で押しつける。そして、留め部４３で左側の部位Ｌｃを係止する。これにより、マスクＬの右側が第２板材３０の抗菌層３２に接触し、裏面Ｍｂが第３板材４０の抗菌層４２に接触して挟持される。したがって、マスクＬの一部であるが露出させることなく保持することができる。
【００２６】
このように本実施形態に係る携帯端末・マスクケースによれば、携帯端末をその表示面を保護しつつ、マスクを収容することで埃の付着や型崩れを防止でき、それと共に付着した細菌類の増殖を防止することが可能となる。そして特に、携帯端末側とマスク側とがケース１０の表裏逆側に開くので、携帯端末の操作時にはマスクには触れにくく、逆にマスクの着脱時には携帯端末には触れにくいため、使用者による不用意な接触機会を減らすことで、菌の無用な移動を防止することができる。
＜第２実施形態＞
図５に示すように、携帯端末・マスクケース５０は、中央で開閉可能に接続される第１側板６０と第２側板７０とから構成される外装カバーを有している。第１側板６０と第２側板７０との間には内側板８０が差し込まれ、谷折部６３に屈曲自在に接続されている。内側板８０は、第１側板６０と第２側板７０に挟持される。第１側板６０、第２側板７０、内側板８０はいずれも樹脂等の比較的硬質な材質で形成されている。
【００２７】
第１側板６０は、表面６１及び裏面６２を有し、谷折部６３により第２側板７０に連結されている。第１側板６０の内側面には、携帯端末Ｈをその表示面Ｈａを表側にして嵌め込むためのブラケット６４が設けられる。なお、図６に示すように、第１側板６０には、携帯端末Ｈのカメラ部Ｈｃに対応する開口部６５が開けられている。
【００２８】
第２側板７０の内側の面には、抗菌層７１が形成され、内側板８０における第２側板７０に対峙する面にも抗菌層８２が形成されている。第１側板６０における第２側板７０に対峙する面には携帯端末Ｈの表示面Ｈａに当接して保護する保護層８１が形成される。内側板８０の縁部にはマスクＭ，Ｌの耳掛部を留める留め部８３の一端が装着される。
【００２９】
マスクＭ，Ｌは第２側板７０の抗菌層７１と内側板８０の抗菌層８２とに挟持されるので、接触した部位については菌の繁殖を防止することができる。また、抗菌層は弾性を有しているので、折り畳み時にマスクとの密着性を高めることができる。なお、抗菌層７１，８２が設けられる範囲はこれらに限定されるものではなく、携帯端末・マスクケース５０を構成する第１側板６０、第２側板７０、内側板８０全てに亘って形成することが好ましい。第１側板６０、第２側板７０、内側板８０全てに亘って形成することで、板材同士に挟まれた領域に細菌類が残留して増殖することを防止できる。
【００３０】
このように構成された携帯端末・マスクケース５０は、次のようにして用いる。携帯端末Ｈは、表示面Ｈａを表面とし、ブラケット６４に嵌め込まれる。携帯端末Ｈはブラケット６４に一旦取り付けると頻繁に着脱する機会は少ない。
【００３１】
次に、マスクＭを保管するに際しては、マスクＭを折り畳むことなく、その表面Ｍａ及び裏面Ｍｂはそれぞれ第２側板７０の抗菌層７１及び内側板８０の抗菌層８２に当接され挟持される。そして、留め部８３を第２側板７０の外側面７２側に回して係止する。係止する方法は面ファスナや磁石、スナップボタン等を用いることができる。
【００３２】
そして、携帯端末・マスクケース５０を折り畳むことで、内側板８０の保護層８１は携帯端末Ｈの表示面Ｈａに当接する。これにより携帯端末Ｈの表示面Ｈａは保護される。マスクＭは第２側板７０と内側板８０との間に挟持され抗菌層７１，８２に当接されるので、マスクＭ内でのウィルスや菌の増殖を防止する抗菌効果を発揮できる。
【００３３】
次に、マスクＬを保管するに際しては、マスクＬの略中央で半分に折り畳む。携帯端末・マスクケース５０を、図６に示すように少し開いた状態で持ち、マスクＬの表面Ｌａの右側が第２側板７０の抗菌層７１に接触し、表面Ｌａの左側が内側板８０の抗菌層８２に接触して挟持される。
【００３４】
マスクＭの着脱を行う場合は、第１側板６０を机上等に置いた状態で、第２側板７０及び内側板８０を開き、留め部８３を開閉して行うので、携帯端末Ｈに触れることがない。また、携帯端末Ｈを使用する場合は、谷折部６３を山折りにすることで、第２側板７０及びマスクＭを保持している内側板８０を第１側板６０の後方へ折り返すことで、マスクＭに触れにくくなる。
【００３５】
このように本実施形態に係る携帯端末・マスクケースによれば、携帯端末をその表示面を保護しつつ、マスクを収容することで埃の付着や型崩れを防止できる。また、付着した細菌類の増殖を防止することが可能となる。さらに、携帯端末の操作時にはマスクには触れにくく、逆にマスクの着脱時には携帯端末には触れにくいため、使用者による不用意な接触機会を減らすことで、菌の無用な移動を防止することができる。
【００３６】
なお、上記実施形態に限定されるものではなく、実施段階ではその要旨を逸脱しない区域で種々に変形することが可能である。また、各実施形態は適宜組み合わせて実施してもよく、その場合組み合わせた効果が得られる。更に、上記実施形態には種々の考案が含まれており、開示される複数の構成要件から選択された組み合わせにより種々の考案が抽出され得る。例えば、実施形態に示される全構成要件からいくつかの構成要件が削除されても、課題が解決でき、効果が得られる場合には、この構成要件が削除された構成が考案として抽出され得る。
【符号の説明】
【００３７】
１０…携帯端末・マスクケース、２０…第１板材、２３…谷折部、２４…ブラケット、３０…第２板材、３１…保護層、３２…抗菌層、３３…山折部、４０…第３板材、４２…抗菌層、４３…留め部、Ｍ，Ｌ…マスク。
【図１】
0003228419.tif 000003
【図２】
0003228419.tif 000004
【図３】
0003228419.tif 000005
【図４】
0003228419.tif 000006
【図５】
0003228419.tif 000007
【図６】
0003228419.tif 000008